(57)【要約】【課題】  ゴム栓のスリットを閉塞した状態でチャンバー部内の液圧を大きくしてもスリットの閉塞状態を維持できる高耐圧性のゴム栓を備えた液体混注具を提供すること。【解決手段】  液体混注具Ａの混注具本体１０を、チャンバー部１１と、チャンバー部１１からそれぞれ異なる方向に延びる下流分岐管１２、上流分岐管１４、連結用開口部１３および連結用開口部１３に取り付けられた蓋部材２０で構成した。そして、蓋部材２０の内部にゴム栓２５を取り付けて、ゴム栓２５のスリット２５ａを閉じることにより蓋部材を閉塞でき、スリット２５ａに接続管を挿通させることによりチャンバー部１１内と接続管内とを連通できるようにした。また、ゴム栓２５の外周面にリブ２９ａ等を設けて、蓋部材２０の内周面にゴム栓２５をより強く圧接させることにより、スリット２５ａの閉塞状態をより確実にした。【選択図】  図６
2008200312.tif 000002
【特許請求の範囲】
【請求項１】
チャンバー部と、前記チャンバー部からそれぞれ異なる方向に延び少なくとも上方に延びる上部分岐管を含む複数の分岐管とからなる混注具本体と、前記上部分岐管の内周面に取り付けられ、内部を貫通するスリットを閉じることにより前記上部分岐管を閉塞するとともに、前記スリットに接続管を挿通させることにより前記チャンバー部内と前記接続管内とを連通させるゴム栓とを備えた液体混注具であって、
前記ゴム栓を前記上部分岐管の内周面により強く圧接させて、前記スリットに前記接続管が挿通していないときの前記スリットの閉塞状態をより確実にするための圧縮用突出部を前記ゴム栓の所定部分に形成したことを特徴とする液体混注具。
【請求項２】
前記圧縮用突出部を、前記ゴム栓における前記スリットが形成された部分の外周面に形成したリブで構成した請求項１に記載の液体混注具。
【請求項３】
前記ゴム栓の本体部分を、前記スリットが形成されたスリット形成部と、前記スリット形成部の下端周縁部から外周側下方に広がるドーム状部とで構成するとともに、前記ドーム状部の下面における前記スリットの下端周縁部およびその近傍部分に下方に向って突出する膨出部を形成し、前記膨出部で前記圧縮用突出部を構成した請求項１に記載の液体混注具。
【発明の詳細な説明】
【技術分野】
【０００１】
本発明は、医療に用いられる複数の輸液チューブ等に連結されて、各輸液チューブ間に薬液等を流す液体混注具に関する。
【背景技術】
【０００２】
従来から、複数の輸液チューブを用いて患者の体内に所定の薬液や生理食塩水等を供給することが行われており、このような場合に、医療用活栓等の液体混注具を用いて、各輸液チューブ間を連通したり遮断したりすることが行われている。このような、液体混注具の中に、複数の分岐管を備え、それらの分岐管のうちの所定の分岐管内に、注射針等を穿刺可能なゴム栓が取り付けられたものがある（例えば、特許文献１参照）。
【特許文献１】特開２００４―１６４３７号公報
【０００３】
この液体混注具は、本体部分から水平方向に延びる２個の分岐管と、本体部分の上部に形成された注射器接続ポートとを備えている。そして、この注射器接続ポートに、上下に貫通する挿通部が形成されたシール弁体が設けられている。このため、シール弁体の挿通部にツイストロック式注射器を挿し込むことにより、ツイストロック式注射器と液体混注具の本体内とを連通させることができる。これによって、ツイストロック式注射器から液体混注具の本体内に薬液を注入したり、液体混注具の本体から薬液を抽出したりすることができる。また、シール弁体の挿通部にツイストロック式注射器を挿し込まないときには、シール弁体は閉塞され、本体部分と注射器接続ポートとの間は遮断される。この状態では、２個の分岐管の一方から他方に薬液を流すことができる。
【発明の開示】
【０００４】
しかしながら前述した従来の液体混注具では、シール弁体が略円板状に形成され、注射器接続ポートにおけるシール弁体が取り付けられる部分はシール弁体の形状に対応する形状の凹部で構成されている。このため、シール弁体に挿通部を閉塞させるための大きな圧縮力を持たせることは難しい。この結果、シール弁体を閉塞した状態で、２個の分岐管の一方から他方に薬液を流すとき等に、薬液の量を多くして液圧を大きくすると、シール弁体の挿通部を閉塞状態に維持することができなくなる場合も生じる。
【０００５】
本発明は、このような事情に鑑みなされたもので、その目的は、ゴム栓のスリットを閉塞した状態でチャンバー部内の液圧を大きくしてもスリットの閉塞状態を維持できる高耐圧性のゴム栓を備えた液体混注具を提供することにある。
【０００６】
前述した目的を達成するため、本発明に係る液体混注具の構成上の特徴は、チャンバー部と、チャンバー部からそれぞれ異なる方向に延び少なくとも上方に延びる上部分岐管を含む複数の分岐管とからなる混注具本体と、上部分岐管の内周面に取り付けられ、内部を貫通するスリットを閉じることにより上部分岐管を閉塞するとともに、スリットに接続管を挿通させることによりチャンバー部内と接続管内とを連通させるゴム栓とを備えた液体混注具であって、ゴム栓を上部分岐管の内周面により強く圧接させて、スリットに前記接続管が挿通していないときのスリットの閉塞状態をより確実にするための圧縮用突出部をゴム栓の所定部分に形成したことにある。
【０００７】
前述したように構成した本発明の液体混注具では、ゴム栓を上部分岐管の内周面に取り付けると、そのゴム栓は上部分岐管の内周面から圧縮力を受けてスリットを閉塞させる。そして、このゴム栓には、ゴム栓を上部分岐管の内周面により強く圧接させてスリットの閉塞状態をより確実にするための圧縮用突出部が設けられている。このため、ゴム栓は上部分岐管の内周面からさらに大きな圧縮力で押さえ付けられて収縮するようになり、スリットの閉塞状態をより強固にする。この結果、チャンバー部内が高圧になっても、ゴム栓は閉塞状態を維持することができる。
【０００８】
また、本発明に係る液体混注具の他の構成上の特徴は、圧縮用突出部を、ゴム栓におけるスリットが形成された部分の外周面に形成したリブで構成したことにある。この場合のリブは、スリットに平行して上下方向に延びるリブや、ゴム栓の外周面の円周に沿ってスリットを囲うようにして延びるリブ等種々の形状にすることができるが、スリットに平行して延びる形状にすることがより好ましい。また、そのリブの数は１個でも複数個でもよいが、複数個のリブを間隔を保ってスリットの周囲に形成することが好ましい。これによると、スリットの閉塞状態を効果的に維持させることができる。
【０００９】
また、本発明に係る液体混注具のさらに他の構成上の特徴は、ゴム栓の本体部分を、スリットが形成されたスリット形成部と、スリット形成部の下端周縁部から外周側下方に広がるドーム状部とで構成するとともに、ドーム状部の下面におけるスリットの下端周縁部およびその近傍部分に下方に向って突出する膨出部を形成し、膨出部で圧縮用突出部を構成したことにある。
【００１０】
これによると、ゴム栓がチャンバー部側から圧力を受けたときに、圧縮用突出部はその圧力によって上方に向って押圧されスリットを強く圧縮するようになる。このため、ゴム栓のシール性がさらに向上する。この場合、上部分岐管の内周面を下部側から上部側に向って徐々に細くなるテーパ面に形成するとともに、ゴム栓におけるスリット形成部の外周面を下部側から上部側に向って徐々に細くなるテーパ面に形成することが好ましい。これによると、ゴム栓がチャンバー部側から圧力を受けたときに、ゴム栓のスリット形成部は上部分岐管の内周面に押し込まれるようにして押圧されスリットをさらに強く圧縮するようになる。また、この場合の上部分岐管やゴム栓の横断面形状は、円形、楕円形、三角形、四角形等の種々の形状にすることができる。
【発明を実施するための最良の形態】
【００１１】
（第１実施形態）
以下、本発明の第１実施形態に係る液体混注具を図面を用いて詳しく説明する。図１ないし図３は、同実施形態に係る液体混注具Ａを示しており、この液体混注具Ａは、混注具本体１０、混注具本体１０の上部側に取り付けられたゴム栓２５および混注具本体１０内に取り付けられた弁体３０（図５参照）で構成されている。そして、混注具本体１０は、軸方向の長さが短い円筒状のチャンバー部１１と、チャンバー部１１の外周面に９０度の角度を保って順に連結された下流分岐管１２、連結用開口部１３、上流分岐管１４および連結用開口部１３に取り付けられた蓋部材２０からなる３個の分岐管とで構成されている。なお、連結用開口部１３と蓋部材２０とで本発明の上部分岐管が構成される。
【００１２】
チャンバー部１１は、後部が閉塞された略円筒状に形成されており、軸方向を前後方向（図３および図５では左右方向）に向けて配置されている。そして、チャンバー部１１の後壁部１１ａの内面に、断面形状が略コ字状の係合部１５が固定されている。この係合部１５は、後壁部１１ａの内面中央に沿った円板部１５ａと、チャンバー部１１の内周面との間に所定の隙間を設けた状態で円板部１５ａの外周縁部から前方に延びる軸方向の長さが短いリング部１５ｂとで構成されている。そして、リング部１５ｂの外周面における左右両側には、図４に示したように、一対の係止用突起１５ｃが形成されている。また、チャンバー部１１の内周面における前部側部分には、細い溝からなる係合用凹部１５ｄが円周に沿って形成されている。
【００１３】
そして、チャンバー部１１の周壁部における下流分岐管１２、連結用開口部１３および上流分岐管１４が連結された部分には、連通穴１６ａ，１６ｂ，１６ｃがそれぞれ形成されている。これらの連通穴１６ａ，１６ｂ，１６ｃのうち連通穴１６ｂは、中心部の位置を他の連通穴１６ａ，１６ｃの中心部の位置よりもやや前部側にずらして形成されている。そして、連通穴１６ａを介してチャンバー部１１の内部と下流分岐管１２の内部に形成された流路１２ａとが連通し、連通穴１６ｂを介してチャンバー部１１の内部と連結用開口部１３の内部に形成された流路１３ａとが連通している。
【００１４】
また、連通穴１６ｃを介してチャンバー部１１の内部と上流分岐管１４の内部に形成された流路１４ａとが連通している。下流分岐管１２は、チャンバー部１１と一体的に形成されており、チャンバー部１１側の基端部１２ｂと、基端部１２ｂよりも細く形成された先端側の雄ルアー部１２ｃとで構成されている。そして、下流分岐管１２の外周面における基端部１２ｂと雄ルアー部１２ｃとの境界部には、突部１２ｄが円周に沿って形成されている。
【００１５】
上部分岐管の下部側部分を構成する連結用開口部１３は、下流分岐管１２および上流分岐管１４よりも直径が大きく軸方向の長さが短い略リング状に形成されている。そして、連結用開口部１３の上端周縁部における幅方向の略中央に円周に沿って係合溝１３ｂが形成され、外周面における左右両側部分に一対の係合突起１３ｃがそれぞれ形成されている。また、連結用開口部１３の内周面の左右両側には流路１３ａを前後に仕切る堰部１７が掛け渡された状態で形成され、連結用開口部１３の上端周縁部における係合溝１３ｂの内側部分から堰部１７の上端面にかけての部分に一対のゴム栓受け部１８が形成されている。この一対のゴム栓受け部１８は、係合溝１３ｂの内周面側の壁部を構成し堰部１７の上面１７ａよりも上方に突出した左右一対の側壁部１８ａと、堰部１７の上面１７ａの左右両側部分とで構成されている。
【００１６】
また、連結用開口部１３の係合突起１３ｃには、連結用開口部１３とでゴム栓２５の下端部を固定するための蓋部材２０が取り付けられている。蓋部材２０の上部２１は下流分岐管１２および上流分岐管１４よりも直径がやや大きく軸方向の長さが短い略円筒状に形成されている。また、蓋部材２０の下部２２は連結用開口部１３よりもさらに直径が大きく平面視が前後方向に長い楕円形になり軸方向の長さが短い略円筒状に形成されている。そして、上部２１と下部２２との間には、下部２２側から上部２１側に向けて太さが徐々に細くなった傾斜部２３が形成されている。
【００１７】
また、下部２２の左右両側部分の下端部は、前後両側部分の下端部よりも下方に延びており、その下方に延びた部分の内面に、連結用開口部１３の係合突起１３ｃと係合可能な一対の係合凹部２２ａが形成されている。また、上部２１の上端開口縁部は、図２に示したように前方から見た状態では、中央側が下方に窪んだ円弧状に形成され、図３に示したように側方から見た状態では、中央側が上方に突出した円弧状に形成されている。そして、上部２１の外周面には、ねじ２１ａが形成されている。
【００１８】
また、傾斜部２３の内面には、下部２２側から上部２１側に向かって徐々に細くなったテーパ面２３ａが形成され、そのテーパ面２３ａの下部側に係合段部２３ｂが形成されている。この蓋部材２０は、下部２２の係合凹部２２ａを係合突起１３ｃに係合させることにより、連結用開口部１３に着脱可能に取り付けられている。また、この蓋部材２０と連結用開口部１３との係合によって、ゴム栓２５の下部側部分が固定されている。
【００１９】
ゴム栓２５は、天然ゴム、合成ゴムまたはエラストマーなどの弾性部材からなっており、図６に示したように、ゴム栓本体２６と、ゴム栓本体２６の上端に形成された上部固定片２７と、ゴム栓本体２６の下端周縁部の外周側に形成されたリング状の下部固定片２８とで構成されている。また、ゴム栓本体２６は、上部側が肉厚の円板状に形成され内部にスリット２５ａが形成されたスリット形成部２６ａで構成され、下部側が略ドーム状部２６ｂで構成されている。そして、ゴム栓２５は、ゴム栓本体２６を上部２１内に位置させ、ドーム状部２６ｂを傾斜部２３内に位置させた状態で蓋部材２０に取り付けられる。
【００２０】
また、スリット形成部２６ａの外周面には、上下方向に延びる本発明の圧縮用突出部としての四つのリブ２９ａ，２９ｂ，２９ｃ，２９ｄ（図７および図８参照）が円周方向に一定間隔を保って形成されている。このリブ２９ａ，２９ｂ，２９ｃ，２９ｄは、それぞれ断面形状が円弧状に形成されており、スリット形成部２６ａの外周面から僅かに突出している。また、このリブ２９ａ，２９ｂ，２９ｃ，２９ｄは、スリット形成部２６ａの上端部からドーム状部２６ｂの上面にかけて形成されている。
【００２１】
上部固定片２７は、蓋部材２０の上端開口縁部に沿う形状に形成されており、スリット形成部２６ａの上面における左右方向（図６（ｂ）の状態での左右方向）の中央部分からそれぞれ左右の斜め上方に向かって湾曲した曲面状の略円板体で構成されている。このため、図９に示したように、上部固定片２７の左右両側部分の下面とスリット形成部２６ａの上面の左右両側部分との間には切り欠かれたような隙間が形成されている。また、図１０に示したように、上部固定片２７の前後両側部分（図１０では左右両側）におけるスリット形成部２６ａとの境界部分は、スリット形成部２６ａとドーム状部２６ｂとの境界部よりも大径に形成されている。そして、このように構成されたゴム栓２５は、スリット形成部２６ａと上部固定片２７との境界部分で上部２１から外れることを防止された状態で蓋部材２０の内部に取り付けられる。
【００２２】
また、ゴム栓２５の下部固定片２８は、図４および図５に示したように、周縁部を連結用開口部１３の係合溝１３ｂ内に挿し込んだ状態で蓋部材２０の係合凹部２２ａを連結用開口部１３の係合突起１３ｃに係合させることにより、連結用開口部１３と蓋部材２０とによって固定される。このとき、下部固定片２８の上面は係合段部２３ｂに沿って屈曲し、下部固定片２８の下面は側壁部１８ａに沿って屈曲する。このように、下部固定片２８が連結用開口部１３と蓋部材２０に挟まれて屈曲することによって、下部固定片２８は、より強固に固定される。
【００２３】
すなわち、ゴム栓２５は、スリット形成部２６ａと上部固定片２７との境界の大径部分によって、蓋部材２０の内部側に入り込むことを防止され、係合溝１３ｂ内に挿し込まれた下部固定片２８が連結用開口部１３と蓋部材２０との係合によって固定されることによって、蓋部材２０の上端開口から外部に抜け出ることを防止されている。これによって、ゴム栓本体２６は、上方から下方に向って強く押圧されることにより蓋部材２０の上部２１から下方に向って変形しながら移動することができ、下方から上方に向って押圧されると上部２１の内周面に押し付けられる。また、ゴム栓本体２６が変形しながら下方に移動（伸長）するときには、上部固定片２７は伸長し、下部固定片２８は伸長または変形する。
【００２４】
また、スリット２５ａは、スリット形成部２６ａおよび上部固定片２７を上下に貫通しており、連結用開口部１３の内部側との外部側との間を連通して、連結用開口部１３の流路１３ａの一部を形成することができる。このスリット２５ａは、ゴム栓２５を蓋部材２０に取り付けたときにゴム栓本体２６が蓋部材２０の内周面から受ける圧縮力によって閉塞状態に維持される。その際、リブ２９ａ，２９ｂ，２９ｃ，２９ｄによって、ゴム栓本体２６が蓋部材２０の内周面から受ける圧縮力がさらに大きくなり、スリット２５ａの閉塞はより確実になる。
【００２５】
そして、このスリット２５ａに、例えば、シリンジの雄ルアー部を挿し込むことにより雄ルアー部内にシリンジと流路１３ａと連通する流路を形成することができる。この場合、雄ルアー部とスリット２５ａの周面との間は、ゴム栓２５の弾性によって密着状態になる。さらに、ゴム栓本体２６の下面の周縁部における一対のゴム栓受け部１８に対応する部分は、それぞれゴム栓受け部１８に押し付けられて変形することにより、雄ルアー部の先端部側に空気が滞留する隙間が生じないようにする。
【００２６】
また、スリット２５ａ内に雄ルアー部が挿入されていないときには、ドーム状部２６ｂの下面は滑らかなドーム状の曲面になってドーム状部２６ｂの下面側を薬液等の液体が流れるときに空気が滞留し難くなる。さらに、ゴム栓本体２６の下面側を流れる液体によって、ゴム栓本体２６に下方から上方に向う大きな圧力が加わっても、ゴム栓２５の弾性や、リブ２９ａ，２９ｂ，２９ｃ，２９ｄを介して蓋部材２０の内周面からゴム栓２５が受ける圧縮力によって、スリット２５ａは、さらに強固に閉塞状態に維持される。
【００２７】
上流分岐管１４は、チャンバー部１１と一体的に形成されており、内部に形成された流路１４ａは、連通穴１６ｃ側部分が、連通穴１６ｃに近いほど直径が小さく、連通穴１６ｃから離れるにしたがって直径が大きくなったテーパ状に形成されている。また、流路１４ａの上流側部分（図４の右側部分）は、上流分岐管１４の開口部に近づくほど徐々に直径が大きくなったテーパ状に形成されている。この上流分岐管１４の開口部側部分は、他のチューブ等に連結された雄ルアー部を接続するための雌ルアー部を構成する。そして、上流分岐管１４の開口部の外周面には、連結用のねじ部１４ｂが形成されている。
【００２８】
弁体３０は、略円筒状の弁本体３１と、弁本体３１の前端部に連結された操作部３２とで構成されている。そして、弁本体３１は、先端部をチャンバー部１１の内周面と係合部１５のリング部１５ｂとの間に挿し込んだ状態でチャンバー部１１内に設置されており、操作部３２を操作することによりチャンバー部１１の軸周り方向に回転する。また、弁本体３１の内周面における先端部には、リング部１５ｂの外周面に形成された一対の係止用突起１５ｃに係合可能な複数の係止用凹部（図示せず）が円周方向に間隔を保って形成されており、この係止用凹部のうちの所定の係止用凹部を係止用突起１５ｃに係合させることにより、弁体３０を予め設定された３箇所で静止させることができる。
【００２９】
また、弁本体３１の外周面における操作部３２側には、チャンバー部１１の係合用凹部１５ｄと係合する係合用突条３６が円周に沿って形成されており、この係合用突条３６と係合用凹部１５ｄとの係合により、弁体３０は、チャンバー部１１から抜け止めされている。そして、図１１に示したように、弁本体３１の外周面には、二つの溝部３３，３４が軸方向に並んで形成されている。
【００３０】
溝部３３は、弁本体３１の外周面における軸方向の中心よりもやや後部側（図１１の左側）の部分で円周に沿って略半周にわたって形成された切欠き溝で構成されている。また、溝部３４は、弁本体３１の外周面における軸方向の中心よりもやや前部側の部分で溝部３３と平行して弁本体３１の外周面に沿って形成された周方向溝部３４ａと、周方向溝部３４ａの一方の端部から屈曲して軸方向の後部側に向って延びる軸方向溝部３４ｂとからなる略Ｌ字状の切欠き溝で構成されている。
【００３１】
そして、軸方向溝部３４ｂは、溝部３３の一方の端部と所定間隔を保った位置に設けられており、周方向溝部３４ａの他方の端部は、溝部３３の他方の端部よりも円周方向に沿った一方側（図１１における手前側）に位置している。また、溝部３３と溝部３４との弁本体３１の円周方向に沿った長さはともに円周の略半周で等しく設定されており、溝部３３と周方向溝部３４ａとの間隔は、溝部３３の幅と周方向溝部３４ａの幅との合計の長さと同程度になっている。そして、溝部３３と周方向溝部３４ａとの間には、弁本体３１の外周面に沿った仕切り壁部３５が形成されている。
【００３２】
また、チャンバー部１１内に設置されたときの弁本体３１は、図１２に示したように、外周面における溝部３３および溝部３４の軸方向溝部３４ｂが形成された部分を連通穴１６ａ，１６ｃの位置に合わせ、周方向溝部３４ａが形成された部分をチャンバー部１１の内周面における前部側部分に対向させた状態になる。そして、仕切り壁部３５の外周面は、チャンバー部１１の内周面における中央よりもやや前部側の部分で連通穴１６ｂに対向した状態になる。
【００３３】
このため、仕切り壁部３５が上方に向くように弁本体３１を位置させたときには、溝部３３が連通穴１６ｃと対向してチャンバー部１１内と上流分岐管１４とは溝部３３を介して連通する。また、溝部３４における軸方向溝部３４ｂの後部側が連通穴１６ａと対向してチャンバー部１１内と下流分岐管１２とは溝部３４を介して連通する。この場合、仕切り壁部３５の上方には、堰部１７が位置するようになり、仕切り壁部３５の外周面と堰部１７の下面とは略密着状態で接触する。
【００３４】
そして、堰部１７の上方には、流路１３ａを構成する空間部が位置しているため、溝部３３と溝部３４とは流路１３ａを介して連通する。したがって、この状態では、上流分岐管１４からチャンバー部１１および連結用開口部１３を介して下流分岐管１２に薬液等を流すことができる。この場合、上流分岐管１４から溝部３３内に流れる薬液等は、堰部１７を乗り越えて溝部３４に流れていく。このため、薬液等はチャンバー部１１の上方の流路１３ａ内を通過するようになり、チャンバー部１１内や流路１３ａ内に空気等が滞留することを抑制できる。
【００３５】
その状態から弁体３０を一方に回転させて、溝部３３を連通穴１６ａに対向させるとともに、弁本体３１の外周面を連通穴１６ｃに対向させたときには、チャンバー部１１内と下流分岐管１２との間は連通し、チャンバー部１１内と上流分岐管１４との間は遮断される。また、弁体３０を他方に回転させて、溝部３３を連通穴１６ｃに対向させた状態を維持するとともに、弁本体３１の外周面を連通穴１６ａに対向させたときには、チャンバー部１１内と下流分岐管１２との間は遮断され、チャンバー部１１内と上流分岐管１４との間は連通する。
【００３６】
このように、弁体３０を回転操作することにより、下流分岐管１２と上流分岐管１４との双方をチャンバー部１１内に連通したり、一方だけをチャンバー部１１内に連通したりすることができる。なお、操作部３２は、３個の操作片３２ａ，３２ｂ，３２ｃを備えており、この操作片３２ａ，３２ｂ，３２ｃは、それぞれ下流分岐管１２、連結用開口部１３（蓋部材２０）、上流分岐管１４に対応するように、９０度の角度を保って形成されている。そして、操作片３２ｂを蓋部材２０の位置に合わせたときに、流路１２ａ，１３ａ，１４ａのすべてが連通し、操作片３２ｂを下流分岐管１２の位置に合わせたときに、流路１２ａ，１３ａが連通し、操作片３２ｂを上流分岐管１４の位置に合わせたときに、流路１３ａ，１４ａが連通する。また、その際、係止用突起１５ｃに係止用凹部が係合して、操作部３２は外力が加わらない限りその位置に静止する。
【００３７】
この構成において、ゴム栓２５を閉塞した状態で、上流分岐管１４から下流分岐管１２に所定の薬液等を流し、その薬液を患者（図示せず）の体内に供給する場合には、まず下流分岐管１２に、患者に穿刺して留置するための留置針が接続された輸液チューブ（図示せず）の後端部を接続する。ついで、上流分岐管１４に、患者に供給する薬液を収容する容器等から延びる輸液チューブの先端部に設けられた雄ルアー部を接続する。つぎに、薬液をチャンバー部１１を含む輸液ライン内に通して、輸液ライン内の空気をすべて外部に放出したのちに、留置針を患者の体に穿刺して留置した状態で容器等の薬液を患者に向けて送り出すことにより患者への薬液の供給を行う。
【００３８】
この場合、薬液は、上流分岐管１４からチャンバー部１１内を通過したのちに下流分岐管１２側に流れていく。その際、ゴム栓本体２６のスリット２５ａは閉塞して薬液がゴム栓２５から漏れ出ることを防止する。また、薬液の量が多くなってチャンバー部１１内の液圧が上昇しても、ゴム栓本体２６は、リブ２９ａ等を設けることによって高耐圧性を備えているためスリット２５ａの閉塞状態を強固に維持して、薬液は適正状態でチャンバー部１１内を通過していく。また、２種類の薬液を患者（図示せず）の体内に供給する場合には、前述した状態から、シリンジ（図示せず）の薬液収容部内に他の薬液を吸引した状態で、シリジンの雄ルアー部をゴム栓２５のスリット２５ａに貫通させる。このとき、雄ルアー部は、ゴム栓本体２６を蓋部材２０の内周面に押し付けて変形させながらスリット２５ａを広げていく。
【００３９】
そして、ゴム栓本体２６と上部固定片２７とは、変形しながら下方に向って伸長していく。これによって、ゴム栓本体２６は、雄ルアー部の押圧力によって蓋部材２０に押さえ付けられて、蓋部材２０の内周面および雄ルアー部の外周面に密着した状態で下方に伸びていく。そして、雄ルアー部がスリット２５ａ内に挿入されて、薬液収容部が流路１３ａに連通したときには、ゴム栓本体２６の下端部はゴム栓受け部１８に押し付けられ、雄ルアー部の先端側部分には、段差等の空気が滞留し易くなる隙間は生じなくなる。
【００４０】
つぎに、薬液をチャンバー部１１を含む輸液ライン内に通して、輸液ライン内の空気をすべて外部に放出したのちに、留置針を患者の体に穿刺して留置した状態で容器等の薬液を患者に向けて送り出すことにより患者への薬液の供給を行う。また、シリンジの薬液収容部内の薬液も、適宜、流路１３ａを介してチャンバー部１１内に注入する。そして、シリンジからの薬液の供給が終わり、雄ルアー部をスリット２５ａから引き抜くと、ゴム栓本体２６は雄ルアー部による押圧から解放されるとともに、それ自身の復元力によって元の状態に戻る。また、この液体混注具Ａによると、蓋部材２０内をゴム栓２５で閉塞したため、チャンバー部１１内に空気が入って菌が繁殖することも抑制できる。
【００４１】
このように、本実施形態に係る液体混注具Ａでは、蓋部材２０に取り付けられたゴム栓２５は、蓋部材２０の内周面から受ける圧縮力によって閉塞状態に維持され、さらに、スリット形成部２６ａの外周面に形成されたリブ２９ａ，２９ｂ，２９ｃ，２９ｄによって、ゴム栓本体２６が蓋部材２０の内周面から受ける圧縮力がより大きくなり、スリット２５ａの閉塞はより確実になる。この結果、チャンバー部内が高圧になっても、ゴム栓２５は閉塞状態を維持することができる。また、ゴム栓２５は、変形自在の弾性部材からなっているため、スリット２５ａ内に雄ルアー部等の接続管を容易に挿通させることができる。
【００４２】
（第２実施形態）
図１３および図１４は、本発明の第２実施形態に係る液体混注具が備えるゴム栓４５の要部を示している。このゴム栓４５の外形は、前述した液体混注具Ａが備えるゴム栓２５の外形（図６）と同一形状をしている。そして、このゴム栓４５では、スリット形成部４６ａとドーム状部４６ｂとで構成されるゴム栓本体４６の下面に下方に突出する膨出部４１が形成されている。この膨出部４１は、スリット４５ａの下端縁部が最下部に位置するように、スリット４５ａの下端縁部両側に沿って左右対称に形成されている。
【００４３】
そして、膨出部４１における図１３に示した一方の断面形状はスリット４５ａを挟んでスリット４５ａの下端縁部が最下部に位置する三角形になり、図１４（図１３の断面と直交する断面）に示した他方の断面形状は幅の広い略台形になっている。このゴム栓４５およびゴム栓４５を備えた液体混注具におけるそれ以外の部分の構成については、前述したゴム栓２５および液体混注具Ａと同一である。したがって、同一部分に同一符号を記して説明は省略する。なお、このゴム栓４５においては、図示せぬ四つのリブと膨出部４１とで、圧縮用突出部が構成される。
【００４４】
この液体混注具によると、四つのリブによって、スリット４５ａの閉塞をより確実にできることに加えて、膨出部４１によるゴム栓本体４６の圧縮効果によってゴム栓４５のシール性をさらに向上させることができる。すなわち、このゴム栓４５によると、ゴム栓４５がチャンバー部１１側から液圧を受けたときに、膨出部４１はその液圧によって上方に向って押圧されスリット４５ａを強く圧縮するようになる。これによって、ゴム栓４５のシール性がさらに向上する。このゴム栓４５を備えた液体混注具のそれ以外の作用効果は、前述した液体混注具Ａの作用効果と同様である。
【００４５】
（第３実施形態）
図１５は、本発明の第３実施形態に係る液体混注具が備えるゴム栓５５を示している。このゴム栓５５では、スリット形成部５６ａの外周面に形成された四つのリブ５９ａ，５９ｂ，５９ｃ，５９ｄ（図１６参照）が、それぞれ下部側から上部側にいくにしたがって細くなっている。すなわち、リブ５９ａ，５９ｂ，５９ｃ，５９ｄの下端部の断面形状は、前述した第１実施形態のゴム栓２５のリブ２９ａ，２９ｂ，２９ｃ，２９ｄの断面形状と同一になり、リブ５９ａ，５９ｂ，５９ｃ，５９ｄの上端部は面積のない点になっている。
【００４６】
したがって、ゴム栓５５におけるスリット形成部５６ａと上部固定片５７との境界部から下方の部分を上方から見ると図１７に示した状態になる。このゴム栓５５およびゴム栓５５を備えた液体混注具におけるそれ以外の部分の構成については、前述したゴム栓２５および液体混注具Ａと同一である。したがって、同一部分に同一符号を記して説明は省略する。
【００４７】
このゴム栓５５によると、リブ５９ａ，５９ｂ，５９ｃ，５９ｄが下部側から上部側にいくにしたがって細くなっているため、ゴム栓５５がチャンバー部１１側から液圧を受けたときに、スリット形成部５６ａはその液圧によって上方に向って押圧され蓋部材２０内の上部側に入り込み易くなる。これによって、スリット２５ａには強い圧縮力がかかってゴム栓５５のシール性がさらに向上する。このゴム栓５５を備えた液体混注具のそれ以外の作用効果は、前述した液体混注具Ａの作用効果と同様である。また、このゴム栓５５の変形例として、ゴム栓５５に、前述した第２実施形態のゴム栓４５が備える膨出部４１を設けることもできる。これによると、ゴム栓５５のシール性をさらに向上させることができる。
【００４８】
（第４実施形態）
図１７ないし図１９は、本発明の第４実施形態に係る液体混注具が備えるゴム栓６５を示している。このゴム栓６５では、スリット形成部６６ａとドーム状部６６ｂとで構成されるゴム栓本体６６の下面に下方に突出する膨出部６１が形成されている。この膨出部６１は、スリット６５ａの下端縁部が最下部に位置するように、スリット６５ａの下端縁部両側に沿って左右対称に形成されている。そして、ゴム栓６５における図１９に示した一方の断面形状の下端縁部は、スリット６５ａの下端縁部の両側からそれぞれ異なる方向の上方に向って円弧を描くように湾曲して延びたのちに下方に延びる滑らかな円弧状に形成されている。
【００４９】
また、ゴム栓６５における図２０（図１９の断面と直交する断面）に示した他方の断面形状の下端縁部は、中央部分が凹部になった滑らかな円弧状に形成されている。そして、膨出部６１の両端部とドーム状部６６ｂの下面との間にはそれぞれ小さな段差が形成されている。このため、ゴム栓６５を底面側から見ると、膨出部６１は、図１７（ｃ）に示したように、一対の鉞をそれぞれ刃先を外側に向けてスリット６５ａを挟んで配置したような形状になる。また、このゴム栓６５のスリット形成部６６ａにはリブが設けられていない。したがって、ゴム栓６５におけるスリット形成部６６ａと上部固定片６７との境界部から下方の部分を上方から見ると図２０に示した状態になる。
【００５０】
このゴム栓６５およびゴム栓６５を備えた液体混注具におけるそれ以外の部分の構成については、前述したゴム栓２５および液体混注具Ａと同一である。したがって、同一部分に同一符号を記して説明は省略する。なお、このゴム栓６５においては、膨出部６１で圧縮用突出部が構成される。このゴム栓６５を備えた液体混注具によっても前述した各実施形態に係る液体混注具と同様の作用効果を得ることができる。
【００５１】
また、第４実施形態に係る液体混注具が備えるゴム栓６５の変形例として、図２１に示した底面を備え、ゴム栓６５における図１９の断面形状に対応する断面が図２２のように形成されたゴム栓７５を用いることもできる。このゴム栓７５を、図２１に示したように底面側から見ると、膨出部７１は、スリット７５ａを挟んで、スリット７５ａ側の幅が大きく両側に行くほど幅が小さくなった左右対称の紡錘形に形成されている。このゴム栓７５におけるその他の部分の形状は、ゴム栓６５と同一になる。したがって、同一部分に同一符号を記して説明は省略する。このゴム栓７５を備えた液体混注具によっても前述したゴム栓６５を備えた液体混注具と同様の作用効果を得ることができる。
【００５２】
また、本発明に係る液体混注具は、前述した各実施形態に限定するものでなく、適宜変更実施が可能である。例えば、前述した各実施形態では、液体混注具として弁体３０を備えた活栓タイプのものを用いているが、本発明に係る液体混注具としては、弁体を備えず、上流分岐管から常時連通した下流分岐管に薬液等を流せるとともに、上部分岐管から他の薬液等をチャンバー部に流すことのできるものを用いてもよい。また、上流分岐管を備えてなく、分岐管を上部分岐管と下流分岐管だけで構成した液体混注具を用いることもできる。さらに、蓋部材２０の内周面の形状や、ゴム栓２５等の形状や圧縮用突出部の形状や個数等についても適宜変更することができる。
【図面の簡単な説明】
【００５３】
【図１】本発明の第１実施形態に係る液体混注具を示した平面図である。
【図２】液体混注具の正面図である。
【図３】液体混注具の側面図である。
【図４】図２に示した液体混注具の断面図である。
【図５】図３に示した液体混注具の断面図である。
【図６】ゴム栓を示しており、（ａ）は平面図、（ｂ）は正面図、（ｃ）は側面図である。
【図７】図６（ｂ）の７−７断面図である。
【図８】図６（ｂ）の８−８断面図である。
【図９】図６（ａ）の９−９断面図である。
【図１０】図６（ａ）の１０−１０断面図である。
【図１１】弁体を示した斜視図である。
【図１２】液体混注具の本体と弁体との関係を示した断面図である。
【図１３】第２実施形態に係る液体混注具が供えるゴム栓の一方の断面図である。
【図１４】第２実施形態に係る液体混注具が供えるゴム栓の他方の断面図である。
【図１５】第３実施形態に係る液体混注具が供えるゴム栓を示しており、（ａ）は正面図、（ｂ）は側面図である。
【図１６】図１５（ａ）の１６−１６断面図である。
【図１７】第４実施形態に係る液体混注具が供えるゴム栓を示しており、（ａ）は正面図、（ｂ）は側面図、（ｃ）は底面図である。
【図１８】第４実施形態に係る液体混注具が供えるゴム栓の一方の断面図である。
【図１９】第４実施形態に係る液体混注具が供えるゴム栓の他方の断面図である。
【図２０】図１７（ａ）の２０−２０断面図である。
【図２１】変形例に係るゴム栓の底面図である。
【図２２】変形例に係るゴム栓の断面図である。
【符号の説明】
【００５４】
１０…混注具本体、１１…チャンバー部、１２…下流分岐管、１３…連結用開口部、１４…上流分岐管、２０…蓋部材、２５，４５，５５，６５，７５…ゴム栓、２５ａ，４５ａ，６５ａ，７５ａ…スリット、２６，４６，６６…ゴム栓本体、２６ａ，４６ａ，５６ａ，６６ａ…スリット形成部、２６ｂ，４６ｂ，６６ｂ…ドーム状部、２９ａ，２９ｂ，２９ｃ，２９ｄ，５９ａ，５９ｂ，５９ｃ，５９ｄ…リブ、４１，６１，７１…膨出部、Ａ…液体混注具。
【図１】
2008200312.tif 000003
【図２】
2008200312.tif 000004
【図３】
2008200312.tif 000005
【図４】
2008200312.tif 000006
【図５】
2008200312.tif 000007
【図６】
2008200312.tif 000008
【図７】
2008200312.tif 000009
【図８】
2008200312.tif 000010
【図９】
2008200312.tif 000011
【図１０】
2008200312.tif 000012
【図１１】
2008200312.tif 000013
【図１２】
2008200312.tif 000014
【図１３】
2008200312.tif 000015
【図１４】
2008200312.tif 000016
【図１５】
2008200312.tif 000017
【図１６】
2008200312.tif 000018
【図１７】
2008200312.tif 000019
【図１８】
2008200312.tif 000020
【図１９】
2008200312.tif 000021
【図２０】
2008200312.tif 000022
【図２１】
2008200312.tif 000023
【図２２】
2008200312.tif 000024